(57)【要約】【課題】防水パンの運搬設置を容易にするとともに、バスシャワールームの洗浄設備とトイレ等とに仕切りを簡易に設置できるユニットルームを提供することを課題とする。【解決手段】ユニットルームとして、上面外縁近傍に外周に沿って溝が形成された２以上の防水パンであって、互いに縁部同士を接触させて設置される防水パンにより形成される床ユニットと、前記床ユニットの外周に位置する前記防水パンの溝に挿入されて立設され、互いに接触又は近接した状態で連結される二以上の板体からなる外壁ユニットと、少なくとも一の前記防水パンの互いに接触する縁部に沿った一方の溝に挿入されて立設され、少なくとも一の側縁が前記外壁ユニットを構成する板体に接触又は近接した状態で連結される１以上の板体からなる仕切りとを設ける。【選択図】  図１
2015025248.tif 000002
【特許請求の範囲】
【請求項１】
上面外縁近傍に外周に沿って溝が形成された２以上の防水パンであって、互いに縁部同士を接触させて設置される防水パンにより形成される床ユニットと、
前記床ユニットの外周に位置する前記防水パンの溝に挿入されて立設され、互いに接触又は近接した状態で連結される二以上の板体からなる外壁ユニットと、
少なくとも一の前記防水パンの互いに接触する縁部に沿った一方の溝に挿入されて立設され、少なくとも一の側縁が前記外壁ユニットを構成する板体に接触又は近接した状態で連結される１以上の板体からなる仕切りと
を有するユニットルーム。
【請求項２】
前記一の防水パンには、浴槽及び／又はシャワー設備が設けられ、当該防水パンに隣接する防水パンと、前記溝が直線上に並ぶように設置されるものであって、
前記外壁ユニットを構成する少なくとも一の板体は、下縁に前記一の防水パンとこれに隣接する前記防水パンの両外縁を跨ぐ切り欠きが形成され、これらの防水パンの前記直線上に並ぶそれぞれの溝に挿入されて立設される
請求項１に記載のユニットルーム。
【請求項３】
前記外壁ユニット及び前記仕切りを構成する板体の少なくとも一は透明である請求項１又は２に記載のユニットルーム。
【発明の詳細な説明】
【技術分野】
【０００１】
本発明は、シャワールームやバスルームなどの洗浄設備が設けらた部屋と、トイレなどの他の部屋とが一体となったユニットルームに関する。
【背景技術】
【０００２】
集合住宅やホテルには浴室とトイレが一体に形成されたユニットバスルームを備えるものが多い。このようなユニットバスルームは、施工に際して所定の位置に設置した後に、外壁を設けることが必要であるので施工の手間がかかる。
これに対して下記特許文献には、防水パンの周りにガラス板の壁面を立設することでユニットバスルームを形成する発明が示されている。このような構成であればユニットバスルーム自体がインテリアとしての機能を果たすため、特に外壁を設ける必要がなく、施工が簡易になるという利点がある。
【先行技術文献】
【特許文献】
【０００３】
【特許文献１】特開2010-203112号公報
【発明の概要】
【発明が解決しようとする課題】
【０００４】
しかし、上記特許文献に記載の発明は、一つの防水パンでユニットバスルームを形成するので、集合住宅などに設置する場合、運搬が大変であり、大きさも限定されてしまうという問題がある。また、日本人はバスシャワールームとトイレとの間に仕切りがあることを望む場合が多いが、多くのユニットバスルームでは仕切りが設けられることはない。
本発明は、このような問題に鑑みて、防水パンの運搬設置を容易にするとともに、バスシャワールームの洗浄設備とトイレ等とに仕切りを簡易に設置できるユニットルームを提供することを課題とする。
【課題を解決するための手段】
【０００５】
上記課題を解決するために、本発明は次のような構成を有する。
請求項１に記載の発明は、上面外縁近傍に外周に沿って溝が形成された２以上の防水パンであって、互いに縁部同士を接触させて設置される防水パンにより形成される床ユニットと、前記床ユニットの外周に位置する前記防水パンの溝に挿入されて立設され、互いに接触又は近接した状態で連結される二以上の板体からなる外壁ユニットと、少なくとも一の前記防水パンの互いに接触する縁部に沿った一方の溝に挿入されて立設され、少なくとも一の側縁が前記外壁ユニットを構成する板体に接触又は近接した状態で連結される１以上の板体からなる仕切りとを有するユニットルームである。
請求項２に記載の発明は、前記ユニットルームにおいて、前記一の防水パンには、浴槽及び／又はシャワー設備が設けられ、当該防水パンに隣接する防水パンと、前記溝が直線上に並ぶように設置されるものであって、前記外壁ユニットを構成する少なくとも一の板体は、下縁に前記一の防水パンとこれに隣接する前記防水パンの両外縁を跨ぐ切り欠きが形成され、これらの防水パンの前記直線上に並ぶそれぞれの溝に挿入されて立設されるものである。
請求項３に記載の発明は、前記ユニットルームにおいて、前記外壁ユニット及び前記仕切りを構成する板体の少なくとも一を透明としたものである。
【発明の効果】
【０００６】
以上のような構成により本発明は次のような効果を奏する。
請求項１に記載の発明は、防水パンを複数組み合わせるので、一つの防水パンを小さくすることができるので、運搬設置が容易であり、防水パン同士の接合縁には、これに沿う溝が形成されているので、一方の防水パンに浴槽等を設けた場合に、この溝を利用して簡易にこの防水パンに対する仕切りの板を設置することができる。さらに、防水パンの組み合わせによって、任意の形状、大きさの床面を形成するが可能となる。
請求項２に記載の発明は、浴槽やシャワーなどの洗浄設備が設けられた防水パンとこれに隣接する防水パンとの外壁ユニットを構成する板体を、両防水パンに跨る一枚の板体を使用することで、両防水パンのそれぞれ溝に跨る隙間を埋めることができる。さらに、この板体に隣接する板体との接合縁は、両防水パンの間に仕切り板を設ける場合に洗浄設備が設けられる防水パンに対して仕切りを挟んだ位置に存するので、当該接合縁は防水加工をしなくてもよい。
請求項３に記載の発明は、板体の一部を透明とすることで内部の閉塞間を緩和することができるとともに、外壁ユニットの一部を透明とする場合は、ユニットルームの外観のデザイン性を高めることができる。
【図面の簡単な説明】
【０００７】
【図１】本実施形態に係るユニットルームの斜視図である。
【図２】防水パンの斜視図である。
【図３】外壁ユニットを構成する板体同士の角部の連結を示す分解斜視図である。
【図４】外壁ユニットを構成する板体同士の突き合わせ部分の連結を示す分解斜視図である。
【図５】防水パン同士の連結部分における外壁ユニットを構成する板体の設置状態を示す分解斜視図である。
【発明を実施するための形態】
【０００８】
以下、本発明の実施の形態について、図面を参照しながら説明する。
図１に本実施形態に係るユニットルームＸの斜視図を示す。ユニットルームＸは、床ユニット１０、外壁ユニット２０、仕切り３０、ドア４０、天井ユニット５０を有する。
床ユニット１０は２枚の平面視長方形状の防水パン１１により形成される。図２に防水パン１１の斜視図を示す。防水パン１１は、扁平な下方が開放したＦＲＰなどの防水性と強度を有する素材で形成された箱体であり、上面外周に低い壁面が形成されるとともに、壁面の上面に全周に渡って溝１１ａが形成されている。防水パン１１の下面には図示しないアジャスター脚が設けられ、また、側板は着脱できるように構成されている。また、上面は中央に向かって低くなるように緩やかな傾斜が設けられており、中央に穴を開けることで排水溝を形成できるようになっている。床ユニット１０はこのような防水パン１１の短辺同士を合わせて連結固定することで形成される。そして、防水パン１１の一方には、浴槽Ｂ、シャワーＳなどの洗浄設備が設けられ、他方には便器Ｔ、洗面台Ｗなど設備が設けられる。
【０００９】
外壁ユニット２０は、複数の強化ガラスからなる長方形状の板体２１から構成される。板体２１は防水パン１１の溝１１ａに嵌る厚さを有し、２つの防水パン１１の互いに接触していない辺に沿った溝１１ａに立設される。ただし、全周ではなく、全周の一部にドアを設けるための隙間が形成される。
隣接する板体２１同士は互いに連結固定される。図３に角部において隣接する板体２１同士の連結部分の分解斜視図を示し、図４に側縁を突き合わせて隣接する板体２１同士の連結部分の分解斜視図を示す。図３に示すように、角部の接合においては、接合する箇所の板体２１、２１の適当な位置に貫通孔２１ａ、２１ａを設け、互いに直交する各面にボルト穴１０１が設けられたＬアングル１００を、貫通孔とボルト穴が一致するように内側から位置づけて、ボルト１１０と、ナット１２０とでＬアングル１００と板体２１とを狭持固定する。なお、接合部分では、板体２１の端部同士をシールするために、透明なシリコーンゴム製の板体２１の各端部に嵌る溝１３１が形成された長尺のジョイント部材１３０が、各溝１３１に各板体２１の側縁を嵌めることで固定されている。
【００１０】
図４に示すように、板体２１同士が付き合わされた部分の接合においては、接合する箇所の板体２１、２１の適当な位置に貫通孔２１ａ、２１ａを設け、両端部にボルト穴１０１が設けられたプレート２００を、貫通孔とボルト穴が一致するように内側から位置づけて、ボルト１１０と、ナット１２０とでプレート２００と板体２１とを狭持固定する。なお、接合部分では、板体２１の端部同士をシールするために、透明なシリコーンゴム製の板体２１の各端部に嵌る溝１４１が形成された長尺のジョイント部材１４０が、各溝１４１に各板体２１の側縁を嵌めることで固定されている。
また、防水パン１１同士が接触している箇所の板体２１は、両防水パン１１を跨るように設けられている。図５にこの部分の分解斜視図を示す。図に示すようにこの部分に設けられる板体２１の下縁には防水パン１１の両外縁を越えることができるように切り欠き２１ｂが形成されており、この部分が防水パン１１の両外縁に嵌ることで、二つの防水パン１１を跨いで直線状に並ぶ、異なる防水パン１１の溝１１ａに板体２１は立設される。
【００１１】
仕切り３０は、外壁ユニット２０を構成する板体２１と同じ高さを有する強化ガラスからなる長方形状の板体３１により構成される。板体３１は防水パン１１の溝１１ａに嵌る厚さを有し、床ユニット１０の防水パン１１同士が接触している縁部に平行な溝１１ａ部分のいずれか一方に立設される。仕切り３０は、ドアを設けるための隙間を形成するために、この溝１１ａ部分の全幅の約半分の幅に設定され、一側縁が外壁ユニットを構成する板体２１の内面に接触し、シーリング剤により密封される。
ドア４０は強化ガラス製の長方形状のドア板４１により構成され、外壁ユニット２０に設けられた隙間及び仕切り３０の横に形成された隙間のそれぞれに設けられる。ドア板４１は、一側縁側を隣接する板体２１又は３１の側縁にヒンジを介して回転可能に固定される。また、ドア板４１の固定された側縁の反対側の側縁近傍の両面には取っ手が設けられる。
【００１２】
天井ユニット５０は下面に外壁ユニット２０を構成する板体２１及び仕切り３０を構成する板体３１の上縁が嵌る溝が形成された扁平な箱体により構成される。天井ユニット５０も床ユニット１０と同様に２つに分割されており、組み立てる際に連結される。天井ユニット下面には、ライト及び換気扇を設ける穴が形成されている。天井ユニット５０は、外壁ユニット２０及び仕切り３０の上縁に載せて固定される。なお、外壁ユニット２０を構成する板体２１及び仕切り３０を構成する板体３１の上縁近傍には図示しない穴が設けられ、当該穴を介して板体２１、３１は天井ユニット５０と連結固定される。
【００１３】
次に、以上のような構成を有するユニットルームＸの組み立て手順を説明する。まず、施工場所に防水パン１１を設置し、水平レベルを調整しながら互いを連結固定して床ユニット１０を形成する。なお、防水パン１１には必要に応じて予め配管用の穴を設けておくとともに、配管を通しておく。次に、防水パン１１の溝１１ａに外壁ユニット２０を構成する板体２１を立ててながら、隣接する板体２１同士を連結固定していく。外壁ユニット２０の設置が完了したら、仕切り３０を構成する板体３１を防水パン１１の溝１１ａに立て、隣接する外壁ユニット２０の板体２１との接触縁をシールする。その後、天井ユニット５０を外壁ユニット２０及び仕切り３０の上面に設置して固定する。その後、天井ユニット５０にライトや換気扇を固定しこれらの配線を行なう。なお、天井ユニット５０を設置する前に、ライトや換気扇を固定し、配線をしておいてもよい。次に、一方の防水パン１１に浴槽Ｂ、シャワーＳを設置し必要な配管を行なう。また、他方の防水パン１１に便器Ｔ、洗面台Ｗを設置し必要な配管を行なう。最後に、ドア板４１、４１を所定位置に固定すれば設置作業は完了する。
【００１４】
このように、本実施形態に係るユニットルームＸは二つの防水パン１１を施工現場で組み立てて床ユニット１０を形成するので、運搬設置作業が容易である。また、外壁ユニット２０の両防水パン１１同士の境に設置される板体２１が両防水パン１１に跨って設置されるので、防水パン１１同士の接触部分における隙間を埋めることができ、両防水パン１１の境界に板体２１の境目が存しないので、シール加工を施しやすい。そして、防水パン１１同士が接触する縁部には溝１１ａが存するので、この溝１１ａに簡単に仕切り３０を設けることができる。さらに、外壁ユニット２０、仕切り３０、ドア４０が全てガラス板で形成されることで、内部からは開放感を与えることができるとともに、外観がデザイン的に美しくユニットルームＸ自体をインテリアとして機能させることができる。
【００１５】
なお、上記実施形態では、長方形状の防水パンの短辺同士を連結したが、長辺同士や長辺と短辺を連結してもよい。また、辺同士の長さが異なる防水パン同士を使用することもできる。さらに、３以上の防水パン同士を連結するようにしてもよい。
また、上記実施形態では、洗浄設備として浴槽とシャワーを設けているが、シャワーのみや浴槽のみでもよい。また、洗浄設備が設けられる防水パン以外の防水パンは上記実施形態ではトイレと洗面台が設けられているが、こちら側は任意の設備を設けてよく、脱衣室や洗濯機置き場などに用いてもよい。
さらに、壁面ユニットや仕切り板の接合方法は上記に示した方法は例示であり、別の方法を採用してもよい。
【符号の説明】
【００１６】
Ｘ  ユニットルーム
１０  床ユニット
１１  防水パン
１１ａ  溝
２０  外壁ユニット
２１  板体
３０  仕切り
３１  板体
４０  ドア
４１  ドア板
５０  天井ユニット
Ｂ  浴槽
Ｓ  シャワー
Ｔ  便器
Ｗ  洗面台
【図１】
2015025248.tif 000003
【図２】
2015025248.tif 000004
【図３】
2015025248.tif 000005
【図４】
2015025248.tif 000006
【図５】
2015025248.tif 000007